(57)【要約】【課題】  無停電電源装置を用いることなく、停電時や電源スイッチオフ時のデータ退避処理を確実に行うことができる電気機器を提供する。【解決手段】  停電時あるいは電源スイッチ１１のオフ時、ニッケル水素電池１５の電圧が動作用電源回路１６に供給される。これにより、停電や電源スイッチ１１のオフにかかわらず、動作用電源回路１６による動作用電圧の出力が継続して、ＣＰＵ２０によるデータ退避処理が最後まで確実に実行される。この実行後、ニッケル水素電池１５から動作用電源回路１６への電圧供給路が遮断される。【選択図】      図２
2009153351.tif 000002
【特許請求の範囲】
【請求項１】
交流電源の電圧を直流電圧に変換する１次電源回路と、
この１次電源回路の出力端に接続されたバッテリと、
前記１次電源回路の出力端と前記バッテリとの接続間に設けられた接点と、
前記１次電源回路の出力端に接続され、入力される電圧を所定値の動作用電圧に変換する２次電源回路と、
この２次電源回路の出力電圧により動作する制御部およびメモリと、
前記１次電源回路の出力電圧の低下を検出する電圧検出回路と、
前記制御部に設けられ、前記電圧検出回路による低下検出時に前記接点を閉じる第１制御手段と、
前記制御部に設けられ、前記電圧検出回路による低下検出時に前記メモリ内のデータまたは前記制御部内のデータを安全な場所に退避する処理を実行する第２制御手段と、
前記制御部に設けられ、前記第２制御手段による処理の終了後に前記接点を開く第３制御手段と、
を備えることを特徴とする電気機器。
【請求項２】
前記１次電源回路は、整流回路および平滑コンデンサからなることを特徴とする請求項１に記載の電気機器。
【請求項３】
前記メモリは、第１メモリおよび第２メモリであり、
前記制御手段は、前記電圧検出回路で設定値以下が検出された場合に前記第２メモリ内のデータおよび前記制御部内のデータを前記第１メモリに退避する処理を実行する、
ことを特徴とする請求項１または請求項２に記載の電気機器。
【発明の詳細な説明】
【技術分野】
【０００１】
この発明は、メモリ内のデータまたは制御部内のデータを停電時や電源スイッチのオフ時に安全な場所に退避する機能を備えた電気機器に関する。
【背景技術】
【０００２】
電気機器たとえば商品販売処理に使用される電子レジスタでは、停電時および電源スイッチのオフ時、メモリに記憶されているデータや制御部内のデータを安全な場所に退避する処理が必要となる。
【０００３】
しかしながら、停電や電源スイッチのオフに際しては、当然ながら動作用電圧がなくなるため、データを退避する処理が不可能となる。
【０００４】
対策として、例えば特許文献１に示されるようなバックアップ機能付きの電源装置いわゆる無停電電源装置を採用し、停電や電源スイッチのオフにかかわらず動作用電圧を確保する方法がある。
【特許文献１】特開２００１―３３３５４６号公報
【発明の開示】
【発明が解決しようとする課題】
【０００５】
しかしながら、無停電電源装置は大掛かりで高価である。このような無停電電源装置を採用すると、電気機器の大形化やコストの上昇を招くという問題がある。
【０００６】
この発明は、上記の事情を考慮したもので、その目的は、無停電電源装置を用いることなく、停電時や電源スイッチオフ時のデータ退避処理を確実に行うことができる電気機器を提供することである。
【課題を解決するための手段】
【０００７】
請求項１に係る発明の電気機器は、交流電源の電圧を直流電圧に変換する１次電源回路と、この１次電源回路の出力端に接続されたバッテリと、前記１次電源回路の出力端と前記バッテリとの接続間に設けられた接点と、前記１次電源回路の出力端に接続され、入力される電圧を所定値の動作用電圧に変換する２次電源回路と、この２次電源回路の出力電圧により動作する制御部およびメモリと、前記１次電源回路の出力電圧の低下を検出する電圧検出回路と、前記制御部に設けられ、前記電圧検出回路による低下検出時に前記接点を閉じる第１制御手段と、前記制御部に設けられ、前記電圧検出回路による低下検出時に前記メモリ内のデータまたは前記制御部内のデータを安全な場所に退避する処理を実行する第２制御手段と、前記制御部に設けられ、前記第２制御手段による処理の終了後に前記接点を開く第３制御手段と、を備える。
【発明の効果】
【０００８】
この発明の電気機器によれば、無停電電源装置を用いることなく、停電時や電源スイッチオフ時のデータ退避処理を確実に行うことができる電気機器を提供できる。
【発明を実施するための最良の形態】
【０００９】
以下、この発明の一実施形態について図面を参照して説明する。  
図１において、１は電気機器たとえば電子レジスタで、オペレータ側にキーボード２、オペレータ表示器（タッチパネル式のカラー液晶表示器）３、商品情報入力手段であるバーコードスキャナ４、カードリーダ（図示しない）、レシート発行用のプリンタ（図示しない）などを備え、顧客側に客面表示器５およびカード翳し部６を備えている。カード翳し部６は、顧客が所有する非接触式のＩＣカードを翳す（タッチ含む）ところで、ＩＣカードとのデータ送受信を行う無線通信ユニットを内蔵している。
【００１０】
この電子レジスタの制御回路の要部を図２に示す。  
商用交流電源１０に、手操作式の電源スイッチ１１を介して１次電源回路である直流電源回路１２が接続されている。直流電源回路１２は、整流回路１３および平滑コンデンサ１４からなり、商用交流電源１０の交流電圧を例えば５Ｖの直流電圧に変換する。
【００１１】
この直流電源回路１２の出力端に、後述の常開接点２５ａを介してバッテリたとえばニッケル水素電池１５が接続されるとともに、２次電源回路である動作用電源回路１６が接続されている。ニッケル水素電池１５は、定格出力電圧が直流電源回路１２の出力電圧と同じ５Ｖである。動作用電源回路１６は、直流電源回路１２の出力電圧またはニッケル水素電池１５の電圧を所定値たとえば３．３Ｖの動作用電圧に変換する。この動作用電圧が、制御部であるＣＰＵ２０、プログラム等のデータ記憶用のＲＯＭ２１、各種データ記憶用のＲＡＭ２２、入出力インターフェース２３、およびリレー駆動回路２４にそれぞれ供給される。これらＣＰＵ２０、ＲＯＭ２１、ＲＡＭ２２、入出力インターフェース２３、およびリレー駆動回路２４は、相互にバス接続されている。リレー駆動回路２４は、ＣＰＵ２０の指令に応じてリレー２５を駆動する。このリレー２５の常開接点（以下、リレー接点という）２５ａが、上記直流電源回路１２の出力端と上記ニッケル水素電池１５との接続間に設けられている。
【００１２】
また、直流電源回路１２の出力端に、その直流電源回路１２の出力電圧の低下を検出する電圧検出回路１７が接続されている。電圧検出回路１７は、例えば比較器であり、直流電源回路１２の出力電圧と予め定められている設定値とを比較し、その比較結果に応じたパワーフェール信号ＰＦを出力する。すなわち、直流電源回路１２の出力電圧が設定値より高い状態にあればパワーフェール信号ＰＦが論理“１”レベルとなり、商用交流電源１０の停電や電源スイッチ１１のオフによって直流電源回路１２の出力電圧が設定値以下に低下するとパワーフェール信号ＰＦが論理“０”レベルとなる。このパワーフェール信号ＰＦが上記ＣＰＵ２０される。
【００１３】
そして、ＣＰＵ２０は、主要な機能として、次の（１）〜（３）の手段を有する。  
（１）パワーフェール信号ＰＦが論理“１”から論理“０”に変化したとき、つまり電圧検出回路１７による低下検出時、リレー２５を動作させてリレー接点２５ａを閉じる第１制御手段。
【００１４】
（２）パワーフェール信号ＰＦが論理“１”から論理“０”に変化したとき、つまり電圧検出回路１７による低下検出時、ＲＡＭ２２内のデータおよび当該ＣＰＵ２０内のデータを安全な場所である例えばＲＯＭ２１に退避する処理を実行する第２制御手段。
【００１５】
（３）上記第２制御手段による処理の終了後、リレー２５の動作を停止してリレー接点２５ａを開く第３制御手段。
【００１６】
つぎに、図３のタイムチャートを参照しながら、作用について説明する。  
商用交流電源１０が投入され、かつ電源スイッチ１１がオンされると、直流電源回路１２から直流電圧が出力され、それが動作用電源回路１６で動作用電圧に変換される。この動作用電圧により、ＣＰＵ２０およびその周辺回路が初期化され、電子レジスタ１の動作が開始される。
【００１７】
商用交流電源１０に停電が生じたとき、あるいは電源スイッチ１１がオフされると、直流電源回路１２の出力電圧が低下する。この出力電圧の低下は、急激でなく、平滑コンデンサ１４が蓄えている電荷の分だけ、徐々に変化する。
【００１８】
直流電源回路１２の出力電圧が設定値以下まで低下すると、電圧検出回路１７のパワーフェール信号ＰＦが論理“１”から論理“０”に変化する。これに伴い、リレー２５が動作してリレー接点２５ａが閉じる。リレー接点２５ａが閉じると、ニッケル水素電池３０の電圧が動作用電源回路１６に供給される。
【００１９】
こうして、ニッケル水素電池１５の電圧が動作用電源回路１６に供給されることにより、直流電源回路１２の出力電圧の低下にかかわらず、動作用電源回路１６からの動作用電圧の出力が継続する。この動作用電圧の出力の継続により、かつパワーフェール信号ＰＦの論理“１”から論理“０”への変化に基づき、ＣＰＵ２０において、ＲＡＭ２２内のデータおよびＣＰＵ２０内のデータをＲＯＭ２１に退避する処理が実行される。
【００２０】
このデータ退避処理が完全に終了すると、ＣＰＵ２０は動作を停止する。このＣＰＵ２０の動作停止に伴い、リレー２５の動作が停止し、リレー接点２５ａが開く。リレー接点２５ａが開くことにより、ニッケル水素電池１５から動作用電源回路１６への電圧供給路が遮断され、動作用電源回路１６の出力電圧が零となる。
【００２１】
以上のように、停電時あるいは電源スイッチ１１のオフ時、ニッケル水素電池１５の電圧を動作用電源回路１６に供給して、動作用電源回路１６による動作用電圧の出力を継続することにより、停電や電源スイッチ１１のオフにかかわらず、ＣＰＵ２０によるデータ退避処理を最後まで確実に実行させることができる。よって、大事なデータの消失を未然に防ぐことができて、電子レジスタ１としての信頼性が向上する。
【００２２】
とくに、ニッケル水素電池１５、リレー駆動回路２４、およびリレー２５を設けるだけの簡単な構成であるから、大掛かりな無停電電源装置を用いる場合に比べ、装置の小形化やコストの低減が図れる。
【００２３】
しかも、ＣＰＵ２０によるデータ退避処理が終了するのに合わせて直ちにニッケル水素電池１５から動作用電源回路１６への電圧供給路が遮断されるので、ニッケル水素電池１５が放電する時間をなるべく短く抑えることができる。これにより、ニッケル水素電池１５の電圧を次回のデータ回避処理に有効に活用することができる。
【００２４】
なお、上記実施形態では、ＣＰＵ２０がデータ退避処理を終了した後、ＣＰＵ２０が自らの制御でニッケル水素電池１５から動作用電源回路１６への電圧供給路を遮断する構成としたが、これに限らず、データ退避処理の終了をタイマの計時により時間的に判断する構成としてもよい。また、上記実施形態では、バッテリとしてニッケル水素電池を用いたが、バッテリの種類に限定はなく、適宜に選定可能である。さらに、電気機器として電子レジスタを例に説明したが、他の電気機器においても同様に実施可能である。
【００２５】
その他、この発明は上記各実施形態に限定されるものではなく、要旨を変えない範囲で種々変形実施可能である。
【図面の簡単な説明】
【００２６】
【図１】一実施形態の外観を示す図。
【図２】一実施形態における制御回路の要部のブロック図。
【図３】一実施形態の作用を説明するためのタイムチャート。
【符号の説明】
【００２７】
１…電子レジスタ、１０…商用交流電源、１１…電源スイッチ、１２…直流電源回路（１次電源回路）、１３…整流回路、１４…平滑コンデンサ、１５…動作用電源回路（２次電源回路）、１６…電圧検出回路、２０…ＣＰＵ（制御部）、２１…ＲＯＭ、２２…ＲＡＭ、２４…タイマ、２４ａ…出力接点、３０…バッテリ
【図１】
2009153351.tif 000003
【図２】
2009153351.tif 000004
【図３】
2009153351.tif 000005